(57)【要約】【課題】作業者の負担軽減を図ることができる草刈作業機を提供する。【解決手段】草刈作業機１は、トラクタＴに連結する機体２と、草刈作業をする作業体３と、この作業体３の作業高さを設定するゲージローラ体４とを備える。草刈作業機１は、ハンドル部７の操作で作業体３の作業高さを調整可能な手動伸縮体５を備える。一のトラクタＴａを使用する場合には支持フレーム18を第１状態で取り付け、他のトラクタＴｂを使用する場合には支持フレーム18を前後逆の第２状態で取り付ける。【選択図】図１３
2019187266.tif 000002
【特許請求の範囲】
【請求項１】
走行車に連結される走行車連結部を有する機体と、
この機体に設けられ、草刈作業をする作業体と、
前記機体に設けられ、作業対象面に接地して前記作業体の作業高さを設定する接地体と、
前記走行車に乗った作業者が操作する操作部を有し、この操作部の操作によって前記作業体の作業高さを調整可能な調整手段とを備え、
前記機体は、前記調整手段を支持する脱着可能な支持部材を有し、
一の走行車に前記走行車連結部を連結して使用する場合には、前記支持部材を第１状態で取り付け、
前記一の走行車とは異なる他の走行車に前記走行車連結部を連結して使用する場合には、前記支持部材を第２状態で取り付ける
ことを特徴とする草刈作業機。
【請求項２】
支持部材は、前後反転させることによって第１状態から第２状態に変更可能である
ことを特徴とする請求項１記載の草刈作業機。
【請求項３】
支持部材は、被取付部に脱着可能に取り付けられる取付部を下側に有し、かつ、調整手段を支持する支持部を上側に有する
ことを特徴とする請求項１又は２記載の草刈作業機。
【請求項４】
調整手段は、機体及び接地体間に架設された伸縮可能な手動伸縮体によって構成され、
前記手動伸縮体は、走行車に乗った作業者が操作する操作部を上端側に有する
ことを特徴とする請求項１ないし３のいずれか一記載の草刈作業機。
【請求項５】
手動伸縮体は、
筒状部材と、
この筒状部材内にスライド可能に挿入され、前記筒状部材内からの突出長さを調整可能なスライド部材とを有する
ことを特徴とする請求項４記載の草刈作業機。
【発明の詳細な説明】
【技術分野】
【０００１】
本発明は、草刈作業を行う草刈作業機に関するものである。
【背景技術】
【０００２】
従来、例えば下記の特許文献１に記載された草刈作業機が知られている。
【０００３】
この従来の草刈作業機は、走行車であるトラクタの後部に連結される機体と、この機体に設けられ回転しながら草刈作業をする作業体と、機体に設けられ地面に接地して作業体の作業高さを設定するゲージ輪と、このゲージ輪を上下動させるためのハンドルとを備えている。
【０００４】
ここで、トラクタには例えば３点リンク（作業機支持装置）の構成が異なる複数の種類が存在するため、トラクタと作業機の接続姿勢も多様である。それゆえ、トラクタによっては、ハンドル位置が遠くてトラクタに乗った作業者の手が届かない場合があったり、逆にハンドル位置が近すぎて作業機の最上げ時にハンドルがトラクタに干渉する場合があったりする。
【０００５】
そこで、従来の草刈作業機では、そのような不具合を回避するために、例えば長さが異なる複数のハンドル（複数の交換部品）を予め用意しておき、トラクタに合わせて最適な長さのハンドルに交換するという方法で対応している。
【先行技術文献】
【特許文献】
【０００６】
【特許文献１】特開２００９−２６８４４４号公報
【発明の概要】
【発明が解決しようとする課題】
【０００７】
しかしながら、上記従来の草刈作業機のように、複数の交換部品を予め用意するには、その分コストが嵩み、その保管にも手間がかかるため、作業者への負担が大きい。
【０００８】
本発明は、このような点に鑑みなされたもので、作業者の負担軽減を図ることができる草刈作業機を提供することを目的とする。
【課題を解決するための手段】
【０００９】
本発明に係る草刈作業機は、走行車に連結される走行車連結部を有する機体と、この機体に設けられ、草刈作業をする作業体と、前記機体に設けられ、作業対象面に接地して前記作業体の作業高さを設定する接地体と、前記走行車に乗った作業者が操作する操作部を有し、この操作部の操作によって前記作業体の作業高さを調整可能な調整手段とを備え、前記機体は、前記調整手段を支持する脱着可能な支持部材を有し、一の走行車に前記走行車連結部を連結して使用する場合には、前記支持部材を第１状態で取り付け、前記一の走行車とは異なる他の走行車に前記走行車連結部を連結して使用する場合には、前記支持部材を第２状態で取り付けるものである。
【発明の効果】
【００１０】
本発明によれば、作業者の負担軽減を図ることができる。
【図面の簡単な説明】
【００１１】
【図１】本発明の一実施の形態に係る草刈作業機（支持部材の第１状態時）の側面図である。
【図２】同上草刈作業機の側面図（図１とは作業高さが異なる）である。
【図３】同上草刈作業機の平面図である。
【図４】同上草刈作業機の部分左側面図である。
【図５】同上草刈作業機の部分右側面図である。
【図６】同上草刈作業機の後方視の部分断面図である。
【図７】同上草刈作業機のローラ支持部材の回動支点部分の断面図である。
【図８】同上草刈作業機の要部背面図である。
【図９】同上草刈作業機の要部側面図である。
【図１０】図１におけるＡ矢視図である。
【図１１】同上草刈作業機（支持部材の第２状態時）の側面図である。
【図１２】図１１におけるＢ矢視図である。
【図１３】（ａ）は同上草刈作業機を一のトラクタに連結した状態の図であり、（ｂ）は他のトラクタに連結した状態の図である。
【図１４】同上草刈作業機の調整手段の変形例を示す図である。
【発明を実施するための形態】
【００１２】
本発明の一の実施の形態について図１ないし図１３を参照して説明する。
【００１３】
図中の１は草刈作業機で、この草刈作業機１は、例えば走行車であるトラクタＴの後部に連結され、そのトラクタＴの前進走行により前方（進行方向）に移動しながら草刈作業を行うものである。
【００１４】
つまり、この草刈作業機１は、トラクタＴの走行により前方へ移動しながら、作業対象面である地面Ｇに生えた草（刈取対象物）を所望の刈高さで刈り取って細かく破砕するものである。
【００１５】
草刈作業機１は、トラクタＴの後部の３点リンク（作業機支持装置）に連結される機体２と、この機体２に回転可能に設けられ、所定方向に回転しながら草刈作業をする作業体３とを備えている。
【００１６】
また、草刈作業機１は、機体２に回動支点である回動中心軸線Ｘを中心として上下方向に回動可能に設けられ、地面Ｇに接地して作業体３の作業高さ（刈高さ）を設定する接地体であるゲージローラ体４と、このゲージローラ体４及び機体２間に架設された伸縮可能な作業高さ調整用の手動伸縮体５とを備えている。
【００１７】
そして、手動伸縮体５は、トラクタＴに乗った作業者の手動操作（例えばハンドル操作）で伸縮動作するもので、この手動伸縮体５の伸び動作によってゲージローラ体４が機体２に対して回動中心軸線Ｘを中心として下方に回動し、この手動伸縮体５の縮み動作によってゲージローラ体４が機体２に対して回動中心軸線Ｘを中心として上方に回動する。
【００１８】
それゆえ、トラクタＴに乗った作業者は、トラクタＴに乗ったまま手動伸縮体５の上端側の操作部であるハンドル部７を回転操作することによって、ゲージローラ体４を機体２に対して所望量回動させて作業体３の作業高さを調整することが可能である。
【００１９】
すなわち、トラクタＴに乗った作業者（図示せず）によるハンドル部（操作部）７の操作によってゲージローラ体４の上下位置を変更して作業体３の作業高さを調整可能な調整手段（刈高さ調整手段）８が、長手状の１本の手動伸縮体５によって構成されている。
【００２０】
機体２は、トラクタＴの後部の３点リンクに脱着可能に連結される走行車連結部である３点連結部11を有している。３点連結部11は、中央のトップピン12及び左右のロワピン13を有し、トップピン12はトップマスト14に取り付けられ、ロワピン13はロワアーム15に取り付けられている。
【００２１】
そして、トップマスト14はマストフレーム16の前端側に取り付けられ、このマストフレーム16には、手動伸縮体５の上端側をタンブラ（回動部材）17を介して回動可能に支持する支持部材である支持フレーム（ハンドル枠）18が脱着可能に取り付けられている。
【００２２】
具体的には、図８及び図９に示すように、マストフレーム16は、互いに離間対向する左右１対の板状部材16aと、これら両板状部材16aに固定された前後２つの円筒状のカラー部材16b，16cとを有している。また、トップマスト14は、互いに離間対向する左右１対の板状部材14aと、これら両板状部材14aに固定された上下２つの円筒状のカラー部材14b，14cと、トップピン12が取り付けられたコ字状部材（マスト部）14dとを有している。
【００２３】
そして、マストフレーム16の両板状部材16aの上側部分によって被取付部（支持部材被取付部）20が構成され、この被取付部20には前側孔21及び後側孔22がそれぞれ形成されている。
【００２４】
また一方、１つの支持フレーム18は、２つの取付手段23，24によってマストフレーム16の被取付部20の外側に脱着可能に取り付けられる取付部25を下側に有し、かつ、手動伸縮体５をタンブラ17を介して脱着可能に支持する長手状の支持部26を上側に有しており、この支持部26は取付部25の前部に一体に立設されている。
【００２５】
また、取付部25には、被取付部20の前側孔21及び後側孔22に対応して第１孔27及び第２孔28がそれぞれ形成されている。つまり、取付部25の前後方向両端部に同じ孔27，28が形成されている。支持部26は、互いに離間対向する長手状の左右１対の対向板部分26aと、これら両対向板部分26aの長手方向に沿った端部同士を連結する連結板部分26bとによって構成されている。
【００２６】
さらに、支持部26の各対向板部分26aの上端部には取付孔26cが形成され、この取付孔26cにタンブラ17が挿脱可能に挿入されている。つまり、タンブラ17は、支持部26の上端側に脱着可能に取り付けられており、このタンブラ17の挿通孔17aに手動伸縮体５のねじロッド81が挿通されている。
【００２７】
そして、この図８及び図９に図示した状態は、支持フレーム18が取付手段23，24によってマストフレーム16の被取付部20に第１状態（支持部26が立った姿勢の状態）で取り付けられた状態である。つまり、この第１状態では、支持フレーム18の取付部25の第１孔27、マストフレーム16の被取付部20の前側孔21、及びトップマスト14のカラー部材14bの内部に取付手段23のボルト23aが挿入されてそのボルト23aにナット23bが螺合され、かつ、支持フレーム18の取付部25の第２孔28、マストフレーム16の被取付部20の後側孔22、及びマストフレーム16のカラー部材16cの内部に取付手段24のボルト24aが挿入されてそのボルト24aにナット24bが螺合されている。なお、前側の取付手段23によってトップマスト14及び支持フレーム18がマストフレーム16に対して共締めされている。
【００２８】
また、支持フレーム18は、前後反転（前後が逆になる１８０度の回動）させることによって前記の第１状態（支持部26が立った姿勢の状態）から第２状態（支持部26が後傾した姿勢の状態）に変更可能であり、この第２状態では、支持フレーム18の取付部25の第２孔28、マストフレーム16の被取付部20の前側孔21、及びトップマスト14のカラー部材14bの内部に取付手段23のボルト23aが挿入されてそのボルト23aにナット23bが螺合され、かつ、支持フレーム18の取付部25の第１孔27、マストフレーム16の被取付部20の後側孔22、及びマストフレーム16のカラー部材16cの内部に取付手段24のボルト24aが挿入されてそのボルト24aにナット24bが螺合される（図１１参照）。
【００２９】
なお、マストフレーム16の被取付部20には、トップマスト14及び支持フレーム18のほか、ステー29の上端部が取付手段32で取り付けられている。つまり、ステー29の上端部の孔（図示せず）、マストフレーム16の被取付部20の孔（図示せず）、及びマストフレーム16のカラー部材16bの内部に取付手段32のボルト32aが挿入されて、そのボルト32aにナット32bが螺合されている。
【００３０】
さらに、機体２は、左右方向中央部にミッションケース31を有し、このミッションケース31から入力軸33が前方に向かって突出している。入力軸33は、トラクタＴのＰＴＯ軸にジョイントを介して接続され、この入力軸33に入力された動力が動力伝達手段（図示せず）によって作業体３まで伝達される。なお、動力伝達手段は、ミッションケース31内、パイプフレーム36内及びプーリーカバー37内に収納されている。
【００３１】
また、機体２は、作業体３の上方を覆う左右方向長手状のカバー上板39と、作業体３の側方を覆う左右のカバー側板40とを有し、これら互いに離間対向する鉛直状の両カバー側板40のうちの左側のカバー側板40の外側には、箱形状のプーリーカバー37が配置されている。
【００３２】
なお、左右の各カバー側板40は、側板本体部40aと、この側板本体部40aの下端部に取付具（ボルト及びナット等）30で脱着可能に取り付けられた脱着側板部40bとによって構成されている。
【００３３】
作業体（草刈作業体）３は、機体２の両カバー側板40によって回転可能に支持され動力伝達手段からの動力で駆動回転する左右方向の回転軸41と、この回転軸41の各爪取付部42に取り付けられた刈爪（フレール爪）43とを有している。
【００３４】
そして、図１から明かなように、機体２に対するゲージローラ体４の回動中心軸線（回動支点）Ｘは、側面視で、作業体３の回転軌跡内であって作業体３の回転軸41の後方側に位置する。より具体的には、側面視において、ゲージローラ体４の回動中心軸線Ｘは、作業体３の回転軸41よりも後方で刈爪43の回転軌跡内に位置し、かつ、作業体３の回転軸41の回転中心軸線Ｙよりも下方に位置する。
【００３５】
ゲージローラ体４は、機体２のカバー側板40に左右方向の回動中心軸線Ｘを中心として上下方向に回動可能に設けられそのカバー側板40の外側に配置された左右の板状のローラ支持部材46と、これら両ローラ支持部材46によって回転可能に支持され作業体３よりも後方で地面Ｇに接地する左右方向長手状で円筒状の回転部材である１本のゲージローラ47とを有している。
【００３６】
そして、互いに離間対向する鉛直状の両ローラ支持部材（ローラフレーム）46は、左右方向長手状で角筒状の連結部材48によって一体に連結されている。つまり、ゲージローラ体４は、左右の両ローラ支持部材46同士を連結する長手状の補強連結部材である連結部材48を有し、この連結部材48の左右方向両端部にローラ支持部材46の上側の所定部分が溶接等で固着されている。このため、ゲージローラ体４の強度向上を図ることができ、例えばローラ支持部材46が曲げ変形する等の不具合の発生を防止できる。また、この連結部材48の左右方向中央部には取付部材（伸縮体取付部材）49が固着され、この取付部材49には手動伸縮体５の下端部が回動可能に取り付けられている。
【００３７】
また、連結部材48には、作業体３によって刈り取られた草が後方側へ飛散するのを防止する左右方向長手状で板状の飛散防止部材であるガード50が固着されている。ガード50は、機体２のカバー上板39に取り付けられたゴム板51の後方でかつゲージローラ47の上方に配置されている（図４参照）。
【００３８】
また、両ローラ支持部材46間には、ゲージローラ47の外周面に付着した土等の付着物を除去する左右方向長手状で板状のスクレーパ52が架設され、このスクレーパ52には補強部材である補強パイプ53が固着されている。
【００３９】
ここで、図４及び図６等に示すように、左側のローラ支持部材46は、ゲージローラ47のローラ本体部47aの側方を覆う側板部56と、この側板部56の上側外面に固着された長手状の補強板部57と、側板部56の下端側に固着されたボスガード部58とを有している。
【００４０】
側板部56は、側面視で機体２のカバー側板40と重なる略三角形状の重なり部分59を前側に有し、この重なり部分59は、そのカバー側板40の外側近傍位置に配置されている。そして、外側の側板部56と内側のカバー側板40との間には、所定寸法の間隔60が存在する（図７参照）。このため、これら側板部56の内面とカバー側板40の外面とが互いに接触することがなく、ローラ支持部材46はカバー側板40に対してスムーズに上下方向に回動可能である。
【００４１】
また、重なり部分59には回動中心軸線Ｘを中心とする円弧状の長孔（円弧孔）61が形成され、この長孔61に取付具30が挿入されている。このため、カバー側板40に対するローラ支持部材46の回動時において、取付具30とローラ支持部材46の側板部56とが互いに干渉するようなことがない。
【００４２】
さらに、左側の側板部56は、円形状のボス用孔62を有し、このボス用孔62には円筒状のボス63が一体的に固着され、このボス63の内周側にベアリング64が設けられている。そして、ベアリング64によってゲージローラ47の左端の軸部47bの先端側が回転可能に支持され、この軸部47bの基端側外周には草巻付き防止用のカラー65が回転可能に装着されている。なお、図６中の66はグリスニップル、67は蓋、68は取付ボルト、69は座金、70は止め輪である。
【００４３】
右側のローラ支持部材46は、図５に示すように、上述した左側のローラ支持部材46とは左右対称のものであるが、この右側のローラ支持部材46の側板部56には、取付部63aを有したボス63が脱着可能に取り付けられている。そして、図示しないが、右側のローラ支持部材46においても、左側のものと同様、ボス63の内周側のベアリング64によってゲージローラ47の右端の軸部47bの先端側が回転可能に支持され、この軸部47bの基端側外周には草巻付き防止用のカラー65が回転可能に装着されている。なお、草巻付き防止用のカラー65は、必ずしも必要なものではなく、当該カラー65を有しない構造でもよい。
【００４４】
また、図３及び図７等に示すように、左右の各ローラ支持部材46は、取付手段71を介して機体２のカバー側板40の側板本体部40aに回動中心軸線Ｘを中心として上下回動可能に取り付けられている。
【００４５】
取付手段71は、例えばボルト72、カラー73、座金74及びナット75によって構成されている。カバー側板40の側板本体部40aにはボルト用孔76が形成され、ローラ支持部材46の側板部56及び補強板部57にはカラー用孔77，78が形成されている。
【００４６】
そして、カラー73がカラー用孔77，78に嵌入され、ボルト72がボルト用孔76からカラー73内に挿通され、このボルト72のねじ軸部72aにナット75が螺合されることによって、ローラ支持部材46がカバー側板40に上下回動可能に取り付けられている。
【００４７】
手動式の伸縮体である手動伸縮体５は、図１、図１０、図１２等に示すように、ベアリング80によって回転可能に支持されたねじロッド（雄ねじ部材）81と、このねじロッド81に螺合された長手状の筒状部材であるねじパイプ（雌ねじ部材）82と、このねじパイプ82に取付ピン84によって脱着可能に取り付けられ下端部の取付部85が取付部材49に回動可能に取り付けられたスライド部材であるスライドパイプ（延長部材）83とを有している。
【００４８】
このスライドパイプ83は、ねじパイプ82内にそのねじパイプ82の長手方向にスライド可能に挿入され、そのねじパイプ82内からの突出長さが調整可能となっている。すなわち例えば、スライドパイプ83の上端部には第１ピン用孔83aが形成され、スライドパイプ83の中間部には第２ピン用孔83bが形成され、これらピン用孔83a，83bの選択によってスライドパイプ83のねじパイプ82内からの突出長さを調整可能である。
【００４９】
また、手動伸縮体５は、ねじロッド81を覆う円筒状のカバー86と、ねじロッド81の上端部にボルト88及びナット89で取り付けられた操作ハンドル87とを有している。そして、この操作ハンドル87は、トラクタＴに乗った作業者がトラクタＴに乗ったまま手動操作可能な位置に配置されている。なお、この操作ハンドル87によって、手動伸縮体５の上端側のハンドル部（調整手段８の操作部）７が構成されている。また、この操作ハンドル87の基端側の端面とタンブラ17との間にベアリング80が挟まれている。
【００５０】
ねじロッド81は、ねじ溝91が外周面に形成された雄ねじ部92を有し、また、ねじパイプ82は、ねじ溝93が内周面に形成された雌ねじ部94を有している。また、この雌ねじ部94の外周側の凹部には、カバー86の内周面に摺接するブレ止め用のゴムリング95が設けられている。
【００５１】
そして、ねじロッド81の雄ねじ部92にねじパイプ82の雌ねじ部94が螺合されている。このため、トラクタＴに乗った作業者がトラクタＴに乗ったまま操作ハンドル87を回転操作することで、ねじロッド81がその操作ハンドル87とともに所望量回転すると、このねじロッド81に対してねじパイプ82がスライドパイプ83とともに軸方向に移動する。その結果、手動伸縮体５が伸縮し、この伸縮に応じてゲージローラ体４が上下回動して所望状態に位置決め固定される。こうして、手動伸縮体５の伸縮に基づいて作業体３の作業高さの調整が行われる。
【００５２】
次に、草刈作業機１の作用等を説明する。
【００５３】
例えば地面Ｇの硬さ（土質）や刈取対象物等の状況に応じて、作業体３の作業高さ（刈高さ）を調整する場合、トラクタＴのキャビン（運転席）Ｋに乗った作業者は、トラクタＴのキャビンＫに乗ったまま、後方に手を伸ばして手動伸縮体５のハンドル部７（言い換えると調整手段８の操作部）を把持して回転操作すればよい。
【００５４】
例えばトラクタＴのキャビンＫに乗った作業者が操作ハンドル87を一方向（縮み方向）に回転操作すると、この操作に応じて手動伸縮体５が縮んで、ゲージローラ体４が機体２に対して回動中心軸線Ｘを中心として上方に回動し、その結果、作業体３の作業高さが低くなる。例えば図１に示す状態では、作業体３の作業高さＨ１は、約２０ｍｍである。
【００５５】
他方、例えばトラクタＴのキャビンＫに乗った作業者が操作ハンドル87を他方向（伸び方向）に回転操作すると、この操作に応じて手動伸縮体５が伸びて、ゲージローラ体４が機体２に対して回動中心軸線Ｘを中心として下方に回動し、その結果、作業体３の作業高さが高くなる。例えば図２に示す状態では、作業体３の作業高さＨ２は、約６０ｍｍである。
【００５６】
そして、このような作業体３の作業高さの調整後、トラクタＴの走行により草刈作業機１を進行方向に向けて移動させると、作業体３が回転しながら草刈作業をする。
【００５７】
この際、ゲージローラ体４は、地面Ｇに接地した状態で走行しながら、作業体３の作業高さを保持する。それゆえ、作業体３は、ゲージローラ体４によって設定された作業高さをもって前方へ移動しつつ回転するため、地面Ｇに生えた草を所望の刈高さで刈り取って細かく破砕する。
【００５８】
ここで、例えば図１３（ａ）に示す一のトラクタＴ（以下では「トラクタＴａ」という場合がある）を使用する場合には、支持フレーム18をマストフレーム16の被取付部20に第１状態で取り付ければ何ら不具合は生じないが、図１３（ｂ）に示す他のトラクタＴ（トラクタＴａとは３点リンクの構成が異なるもので、以下では「トラクタＴｂ」という場合がある）を使用する場合には、第１状態では手動伸縮体５のハンドル部７がトラクタＴｂのキャビンＫに接近しすぎて草刈作業機１の最上げ時にそのハンドル部７がキャビンＫの一部（例えば後方へ開いた後窓等）に干渉する不具合が生じるおそれがある。
【００５９】
そこで、かかる不具合を回避するためには、支持フレーム18の前後を逆にすることで第１状態から第２状態に変更して、この変更後の支持フレーム18をマストフレーム16の被取付部20に第２状態で取り付ければよい。
【００６０】
つまり、図１３（ｂ）の如く、支持フレーム18をマストフレーム16の被取付部20に第２状態で取り付けると、ハンドル部７とキャビンＫとの間の距離Ｌ２が、図１３（ａ）の場合における距離Ｌ１と略同一になる。よって、草刈作業機１の最上げ時（上昇時）に、ハンドル部７とキャビンＫとが互いに干渉する不具合は生じない。なお、支持フレーム18を第２状態にして取り付ける際には、取付ピン84を第２ピン用孔83bに挿入してスライドパイプ83のねじパイプ82内からの突出長さを短くする。
【００６１】
また、このようにトラクタＴｂを使用する場合に支持フレーム18を第２状態で取り付ければ何ら不具合は生じないが、トラクタＴａを使用する場合には第２状態では逆にハンドル部７がキャビンＫから離れすぎて作業者の手が届かないという不具合が生じるおそれがある。
【００６２】
そして、この不具合を回避するためには、支持フレーム18の前後を逆にすることで第２状態から第１状態に変更して、この変更後の支持フレーム18をマストフレーム16の被取付部20に第１状態で取り付ければよい。
【００６３】
つまり、図１３（ａ）の如く、支持フレーム18をマストフレーム16の被取付部20に第１状態で取り付けると、ハンドル部７とキャビンＫとの間の距離Ｌ１が、図１３（ｂ）の場合における距離Ｌ２と略同一になる。よって、トラクタＴのキャビンＫに乗った作業者の手が届かないという不具合は生じない。なお、支持フレーム18を第１状態にして取り付ける際には、取付ピン84を第１ピン用孔83aに挿入してスライドパイプ83のねじパイプ82内からの突出長さを長くする。
【００６４】
このように、図１３（ａ）に示す第１の場合（標準３点リンクを有するトラクタＴａを使用する場合）及び図１３（ｂ）に示す第２の場合（特殊３点リンクを有するトラクタＴｂを使用する場合）のいずれの場合であっても、異なる３点リンクによる草刈作業機１の最上げ時におけるハンドル部７とキャビンＫとの間の距離が略同じとなり、トラクタＴに乗った作業者に対するハンドル部７の位置が同じ位置（略同じ位置を含む）となる。
【００６５】
そして、上記草刈作業機１によれば、機体２は調整手段８を支持する脱着可能な支持フレーム18を有し、一のトラクタＴａの３点リンクに機体２の３点連結部11を連結して使用する場合にはその支持フレーム18を第１状態で被取付部20に取り付け、一のトラクタＴａとは異なる他のトラクタＴｂの３点リンクに機体２の３点連結部11を連結して使用する場合にはその支持フレーム18を第１状態とは前後逆の第２状態で同じ被取付部20に取り付けることによって、部品交換を伴わず、複数種類の各トラクタＴに対応する適切な位置にハンドル部７を配置できる。したがって、従来とは異なりトラクタごとの長さが異なる複数のハンドル（複数の交換部品）を予め用意しておく必要がなく、交換部品のコストの無駄等を防止でき、よって作業者の負担軽減を図ることができる。
【００６６】
また、トラクタＴに乗った作業者は、トラクタＴに乗ったまま、適切な位置にあるハンドル部７を操作してゲージローラ体４を機体２に対して所望量回動させることで、作業体３の作業高さを容易かつ適切に調整でき、よって精度の高い草刈作業が可能となる。
【００６７】
さらに、機体２に対するゲージローラ体４の回動支点（回動中心軸線Ｘ）は、側面視で作業体３の回転軌跡内に位置するため、ゲージローラ47を作業体３側に近付けることができ、コンパクト化を図ることができ、しかも手動伸縮体５の長さを比較的短くすることができる。
【００６８】
なお、草刈作業機１の手動伸縮体（作業高さ調整用の調整手段８）５は、図１０等に示すスライドパイプ83を有した構成には限定されず、例えば図１４に示すように、スライドパイプ83を有さず、ねじロッド81やねじパイプ82等を長くした構成でもよく、この構成ではねじパイプ82の下端部に取付部85が形成され、この取付部85が取付部材49に回動可能に取り付けられる。
【００６９】
また、作業高さを設定する接地体は、ゲージローラ体４からなるものには限定されず、例えばゲージ輪等からなるものでもよい。
【００７０】
さらに、調整手段を支持する支持部材は、例えば被取付部に対する取付位置の選択によって第１状態から第２状態に変更可能なもの等でもよい。
【符号の説明】
【００７１】
１    草刈作業機
２    機体
３    作業体
４    接地体であるゲージローラ体
５    手動伸縮体
７    操作部であるハンドル部
８    調整手段
11    走行車連結部である３点連結部
18    支持部材である支持フレーム
20    被取付部
25    取付部
26    支持部
82    筒状部材であるねじパイプ
83    スライド部材であるスライドパイプ
Ｔ    走行車であるトラクタ
Ｇ    作業対象面である地面
【図１】
2019187266.tif 000003
【図２】
2019187266.tif 000004
【図３】
2019187266.tif 000005
【図４】
2019187266.tif 000006
【図５】
2019187266.tif 000007
【図６】
2019187266.tif 000008
【図７】
2019187266.tif 000009
【図８】
2019187266.tif 000010
【図９】
2019187266.tif 000011
【図１０】
2019187266.tif 000012
【図１１】
2019187266.tif 000013
【図１２】
2019187266.tif 000014
【図１３】
2019187266.tif 000015
【図１４】
2019187266.tif 000016